(57)【特許請求の範囲】
【請求項１】
２本の紐で吊り下げられた竿を昇降することができる吊掛装置において、それぞれ紐の一端部は、竿の両端部に配設された移動具に直接又は間接的に取り付けられ、移動具は、ねじ部を設けて受具に設けたねじ部に螺合し、移動具を回動することによって進退させて竿から導出される紐の長さを調整できるように構成し、なおかつ、受具は、ばねにより前方に付勢されて抜け止めされると共に、ばねに抗して後方に摺動できるように構成し、紐に引っ張られて移動具を介して受具が後方に摺動した時、受具が警告部を外部に対し変化させるように構成したことを特徴とする吊掛装置。
【発明の詳細な説明】
【０００１】
【産業上の利用分野】
本発明は、２本の紐で吊り下げられた竿が、水平になるように簡単に調整することができると共に、竿に荷重がかかりすぎていることを使用者に警告することができる吊掛装置であって、調整しても警告する荷重に変化がないようにしたものである。
【０００２】
【従来の技術】
従来、この種の吊掛装置として実開平６−５２７９６号考案が提案されているが、この従来例においては、竿に荷重がかかりすぎていることを警告する機構も、紐の長さを調整する機構も備わっていない。
【０００３】
【発明が解決しようとする課題】
この種の吊掛装置においては、主に室内の天井に取り付けられるものであり、竿に大きな荷重がかかると、本装置あるいは天井が壊れてしまうことがあり、本発明は、その前に使用者に過荷重の警告をして、未然に危険を回避することを課題とする。
また、組立時のミスによって、左右の紐の長さが違って竿が水平でなくなる場合があり、この場合、もう一度分解して組み立て直さなければならず、大変面倒である。従って、組立時に、厳密に左右の紐の長さを揃えなければならず、組立に手間がかかりコストアップにつながるという問題がある。また、長期の使用によって左右の紐の長さが違って竿が水平でなくなる場合等、一般ユーザーが紐の長さを調整する必要が生じた場合は、竿を水平に直すことができないという問題があり、本発明は、これらの問題を解決することも課題としている。
さらに、前記の過荷重を警告する機構と紐の長さを調整する機構を併せて備え、紐の長さを調整しても警告する荷重に変化がないようにすることも課題としている。
【０００４】
【課題を解決するための手段】
本発明は、上記の問題を解決するための吊掛装置であって、２本の紐で吊り下げられた竿を昇降することができる吊掛装置において、それぞれ紐の一端部は、竿の両端部に配設された移動具に直接又は間接的に取り付けられ、移動具は、ねじ部を設けて受具に設けたねじ部に螺合し、移動具を回動することによって進退させて竿から導出される紐の長さを調整できるように構成し、なおかつ、受具は、ばねにより前方に付勢されて抜け止めされると共に、ばねに抗して後方に摺動できるように構成し、紐に引っ張られて移動具を介して受具が後方に摺動した時、受具が警告部を外部に対し変化させるように構成したことを特徴とするものである。
【０００５】
【作用】
竿の一端部あるいは両端部の移動具を回動して竿から導出される紐の長さを変更すれば、竿を水平に調整することができる。また、竿に過度の荷重がかかると、竿が下がり、移動具は、直接又は間接的に紐に引っ張られ、この移動具と螺合している受具は、移動具と共に、ばねに抗して後方に摺動し、受具が警告部を外部に対し変化させて、荷重がかかりすぎていることを警告する。また、移動具を進退させて紐の長さを調整しても、移動具が受具の中で移動しているだけで受具は動かず、その受具が警告部を変化させて警告するので、警告する荷重には変化がない。
【０００６】
【実施例】
本体１は、その両端部から導出される紐２・２を上下させる機構（図示しないが種々の機構が考えられる）が内蔵されており、別体の回動棒４で回動部２７を回転操作することによって、紐２・２を上下することができるようになっている。紐２・２は、竿３の両端部を支持しており、竿３は紐２・２によって昇降可能に吊り下げられている。
【０００７】
竿３の両端縁にはそれぞれ上部に切欠部１２・１２を設け、それぞれその後側に嵌合孔１３・１３を設け、さらにそれぞれその後側に紐孔１４・１４を設けてある。竿３の両端にはエンドピース５・５を取り付けてある。
【０００８】
エンドピース５は、ほぼ円筒形で、後端部には、ローラー１０が回転自在に取り付けられ、その下に、後述する取付具７が壊れた時の代替となるスペア取付具１１が取り付けられている。さらに、エンドピース５は、先端部が少し大径になっており、その大径部には、表裏に相対向するように表示窓１６・１６を穿設すると共に、後端縁の上部に後方に向かって突出する回止突起１７を設け、小径部の上部には、上方に突出する抜止突起１８を設けてある。この抜止突起１８は、下方に撓むことができると共に、弾性で上方に復元するようになっている。また、エンドピース５は、小径部の下方が開口部１５になっている。エンドピース５の中には、受具８を摺動可能に内蔵している。
【０００９】
受具８は、略円筒形でばね９により前方に付勢され、エンドピース５の外縁と面一になる位置で抜け止めされ、ばね９に抗して後方に摺動できるようになっている。なお、前方とは、図１において、左側のエンドピース５では左方向であり、右側のエンドピース５では右方向であり、つまり竿３の長手方向の外側へ前進する方向（外方向）を意味し、後方とはその逆方向を意味している。受具８は、内面にはねじ部２４を刻設すると共に、相対向するように回転止溝２５・２５を設けてあり、外面には、表裏面に例えば赤色の警告部２３・２３を設けると共に、上面に凹溝状の逃部２６を設けてある。回転止溝２５・２５は、先端から後端に向けて水平に設けるが、後端部の一部は溝を設けず、後述する取付具７の回転止部２２・２２が当接するようになっている。受具８のねじ部２４には、移動具６が螺合する。
【００１０】
移動具６は、略円柱形で外面に、受具８のねじ部２４に螺合するねじ部１９を刻設し、先端面にプラス溝の操作部２０を設けると共に、後端面には取付具７を係合してある。取付具７は、受具８の回転止溝２５・２５に対応する位置に回転止部２２・２２を設けると共に、後端面に紐２を取り付ける取付部２１を設けてある。取付具７は、回転止部２２・２２が回転止溝２５・２５に摺動可能に係合しており、移動具６が回転しても回転はしないが、回転止溝２５・２５がある範囲内を前後（長手方向）に移動具６と一緒に移動するようになっている。なお、エンドピース５にねじ部を設けて、そのねじ部に移動具６のねじ部１９を螺合してもよい。
【００１１】
これを組み立てるには、エンドピース５に受具８を開口部１５から入れて、エンドピース５の外縁と面一になる位置まで（この位置で抜け止めされる）前方に動かし、ばね９を縮めて受具８の後ろから入れる。
本体１から吊り下げられている紐２を、竿３の紐孔２を通して端部から導出し、エンドピース５の後端から、ばね９及び受具８の中を通して先端から導出して、その紐１４を取付具７の取付部２１に縛り付ける。
取付具７を移動具６の後端に係合させ、取付具７の回転止部２２・２２を受具８の回転止溝２５・２５に係合させて押し込み、移動具６を受具８に螺合して、エンドピース５の後端面と面一になるまでねじ込む。
最後に、このエンドピース５を竿３の一端部から挿入すると、抜止突起１８が下方に撓み弾性力で上方に復元して竿３の嵌合孔１３に嵌合すると共に、回止突起１７が竿３の切欠部１２に係合すれば、抜け止め及び回り止めされ、組立は完了する。
【００１２】
そして、本体１を天井に固定し、竿３を紐２で吊り下げ、回動棒４を本体１の回動部２７に引っ掛けて回転して竿３を昇降して使用する。
【００１３】
移動具６の操作部２０をドライバーで回動すると、移動具６は回動しながら進退するが、取付具７は回動はせずに進退し、竿３から導出される紐２の長さが変更され、竿３を水平に調整することができる。
【００１４】
使用中に、竿３に過度の荷重がかかると、図６に示すように、ばね９に抗して受具８が後退し、表示窓１６・１６から警告部２３・２３が露出し、荷重がかかりすぎていることを使用者に警告するようになっている。この荷重は、取付具７の調整位置に拘わらず、つまり図４の紐２の出ている寸法が最も短い状態でも、図５の紐２の出ている寸法が最も長い状態でも、同じである。つまり、移動具６を進退させて紐２の長さを調整しても、移動具６が受具８の中で移動しているだけで受具８は動かず、その受具８が警告部２３を変化させて警告するので、警告する荷重には変化がない。なお、竿３に物を掛ける時、瞬間的にその衝撃でその物の重さ以上の荷重がかかることがあるが、その瞬間の大きな荷重をばね９の緩衝作用で軽減することができるようになっている。
【００１５】
なお、本発明の他の実施例として、受具８等が、警告部２３としてのブザーを鳴らしたり、警告部２３としてのＬＥＤを点灯させたりすることが考えられる。要するに、表示の色が変化する、鳴っていないブザーが鳴り出す、消灯しているＬＥＤが点灯する等、警告部２３が変化して使用者に警告するものであればよい。
【００１６】
上記の警告にも拘わらずさらに荷重をかけてしまった場合でも、天井あるいは本装置の他の高価な部品を壊すことを避けるために、取付具７が壊れるようになっている。そして取付具７が壊れたら、抜止突起１８を押し込んで、エンドピース５を取り外し取付具７をスペア取付具１１に換えて、上記と同様に再度組み立てれば修理することができる。
【００１７】
【発明の効果】
以上のように本発明によれば、竿から導出される紐の長さを変更することによって、竿を水平に調整することができると共に、竿に過度の荷重がかかったことを警告することができ、調整しても警告する荷重には変化がないという効果がある。
【図面の簡単な説明】
【図１】使用状態を示す全体正面図である。
【図２】要部の分解斜視図である。
【図３】エンドピースの上下を逆にした状態の斜視図である。
【図４】要部の断面図で、移動具及び取付具を最も後に調整した状態、つまり竿から導出される紐の長さが最も短い状態を示す。
【図５】要部の断面図で、移動具及び取付具を最も前に調整した状態、つまり竿から導出される紐の長さが最も長い状態を示す。
【図６】移動具及び取付具を中間に調整した状態で、竿に過度の荷重がかかりばねが縮退すると共に、取付具及び移動具と一緒に受具が後退し、エンドピースの表示窓から受具の警告部が露出して警告している状態を示し、（Ａ）は要部の断面図、（Ｂ）は要部の正面図である。
【符号の説明】
２    紐
３    竿
６    移動具
８    受具
９    ばね
１９    ねじ部
２３    警告部
２４    ねじ部
【図１】
0003572244.tif 000002
【図２】
0003572244.tif 000003
【図３】
0003572244.tif 000004
【図４】
0003572244.tif 000005
【図５】
0003572244.tif 000006
【図６】
0003572244.tif 000007